(57)【特許請求の範囲】
【請求項１】
動画像データとこの動画像データに係る動画像の動きの大きさを示す動きデータとを記録媒体から再生する再生手段と、
前記動画像データを高速再生するサーチ再生モードにおいて、所定期間分の前記動画像データ毎に前記動画像データより前記サーチ再生モードの再生速度に応じた所定数の画面を抽出して出力する制御手段とを備え、
前記制御手段は、前記サーチ再生モードにおいて、前記動きデータにより示される動きの大きさに基づき、前記所定期間分の動画像データ毎に抽出する画面を決定することを特徴とする再生装置。
【請求項２】
前記制御手段は、前記所定期間分の動画像データのうち、最も動きが大きい画面の近傍の連続した前記所定数の画面を抽出することを特徴とする請求項１記載の再生装置。
【請求項３】
前記制御手段は、前記所定期間分の動画像データのうち、動きの大きさが所定値を超える期間を検出し、前記検出した期間の動画像データより前記所定数の画面を抽出することを特徴とする請求項１記載の再生装置。
【請求項４】
動画像データとこの動画像データに係る動画像の動きの大きさを示す動きデータとを記録媒体から再生する再生工程と、
前記動画像データを高速再生するサーチ再生モードにおいて、所定期間分の前記動画像データ毎に前記動画像データより前記サーチ再生モードの再生速度に応じた所定数の画面を抽出して出力する制御工程とを備え、
前記制御工程では、前記サーチ再生モードにおいて、前記動きデータにより示される動きの大きさに基づき、前記所定期間分の動画像データ毎に抽出する画面を決定することを特徴とする再生方法。
【請求項５】
前記制御工程では、前記所定期間分の動画像データのうち、最も動きが大きい画面の近傍の連続した前記所定数の画面を抽出することを特徴とする請求項４記載の再生方法。
【請求項６】
前記制御工程では、前記所定期間分の動画像データのうち、動きの大きさが所定値を超える期間を検出し、前記検出した期間の動画像データより前記所定数の画面を抽出することを特徴とする請求項４記載の再生方法。
【発明の詳細な説明】
【０００１】
【発明の属する技術分野】
本発明は、ディスク等の記録媒体を用いたカメラ一体型レコーダシステムに用いて好適な再生装置及び再生方法に関するものである。
【０００２】
【従来の技術】
ディスク・メディアの大容量化が急速に進展し、音声のみならず映像信号をも長時間記録再生する装置が提案されている。例えば、ＭＰＥＧ等の高能率符号化処理に基づいた記録フォーマットを採用し、４Ｍｂｐｓ〜１０Ｍｂｐｓ程度の圧縮データレートで１時間以上の画像記録再生装置を実現し得る技術が民生レベルで展開している。さらには、ディスク媒体そのものに関しても、小型化と大容量化が確実に進展する動向を示しており、画像記録再生装置のさらなる高密度化が推し進められている。
【０００３】
従来よりこのような装置として、ＭＰＥＧ等を用いた画像記録再生装置が知られている。この装置は、記録時に画像をデジタル信号化した後、ＤＣＴ（離散コサイン直交変換）等により空間軸から周波数軸上へ変換し、量子化、符号化処理によってデータを圧縮し、磁気テープあるいはディスク等の媒体に記録する。また、再生時には、媒体からの再生データを検出し、ＥＣＣ（エラー訂正）、復号、逆量子化、逆ＤＣＴして空間軸上の映像信号を出力し、各種モニタで視聴するようにしている。
【０００４】
このような画像記録再生装置においては、特殊再生の機能があり、画像を視聴する際に記録内容を早送り、又は巻戻し等（以下、サーチと総称する）、変速させて視聴することができる。
【０００５】
【発明が解決しようとする課題】
しかしながら、従来の画像記録再生装置のサーチ機能は、シーンの変化（動き）、あるいは場面の変化とは全く無関係に、所定の再生画を一定時間間隔で抽出して、時系列にモニタ出力するものであった。
【０００６】
図８にその様子を示す。図８（ａ）は前記ＭＰＥＧ方式で符号化されて記録媒体に記録された画像データを再生した時系列データを示し、所定数のフレームで構成するＧＯＰ（Ｇｒｏｕｐ  Ｏｆ  Ｐｉｃｔｕｒｅ）の先頭部分を構成する数フレームを図８（ｂ）の映像として、順次表示するようにしている。
【０００７】
この場合のサーチは、画像の区切りとなるＧＯＰの先頭数フレームしか表示できないため、シーンの変化や動きのある画像では、表示画面の更新周期が粗くなり、サーチ画の一連の画像相関が無く、ユーザが記録内容を明確に確認することができなかった。一方、動きの少ない画像のサーチを行った場合は、画像変化が少なく，ユーザに不必要な待ち時間を与え、本来確認したい「映像の区切り」や「場面の変化」を適切に早く知ることができないという問題があった。
【０００８】
本発明は、上記の問題を解決するために成されたもので、サーチ等の特殊再生時に、再生画の内容を把握し易い適切な再生速度を得ることができるようにすることを目的としている。
【０００９】
【課題を解決するための手段】
本発明に係る再生装置は、動画像データとこの動画像データに係る動画像の動きの大きさを示す動きデータとを記録媒体から再生する再生手段と、前記動画像データを高速再生するサーチ再生モードにおいて、所定期間分の前記動画像データ毎に前記動画像データより前記サーチ再生モードの再生速度に応じた所定数の画面を抽出して出力する制御手段とを備え、前記制御手段は、前記サーチ再生モードにおいて、前記動きデータにより示される動きの大きさに基づき、前記所定期間分の動画像データ毎に抽出する画面を決定することを特徴とする。
【００１０】
また、本発明に係る再生方法は、動画像データとこの動画像データに係る動画像の動きの大きさを示す動きデータとを記録媒体から再生する再生工程と、前記動画像データを高速再生するサーチ再生モードにおいて、所定期間分の前記動画像データ毎に前記動画像データより前記サーチ再生モードの再生速度に応じた所定数の画面を抽出して出力する制御工程とを備え、前記制御工程では、前記サーチ再生モードにおいて、前記動きデータにより示される動きの大きさに基づき、前記所定期間分の動画像データ毎に抽出する画面を決定することを特徴とする。
【００１８】
【発明の実施の形態】
以下、本発明の実施の形態を図面と共に説明する。
（第１の実施の形態）
図１、図２は本発明の第１の実施の形態による記録再生装置としてのカメラ一体型レコーダシステムを示すブロック図であり、図１は記録部を示し、図２は再生部を示す。
【００１９】
図１の記録部において、１００はレンズ等の光学系、１０１は絞り、フォーカス、ズーム等の光学制御系、１０２はＣＣＤ（電荷撮像素子）を含むカメラ信号処理部、１０３はメモリ、１０４はＤＣＴ部、１０５は量子化部、１０６はスイッチ、１０７は減算器、１０８は符号化部、１０９は多重化部、１１０はＥＣＣ部、１１１は変調部、１１２は記録再生用のヘッド、１１３は記録媒体で、ここではディスク１１３を用いている。１２０は逆量子化装置、１２１は逆ＤＣＴ装置、１２２は加算器、１２３はＺｅｒｏデータ供与部、１２４はメモリ、１２５は動き補償予測部、１２６は動き検出部、１２７はＣＰＵ、１２８は撮影開始スイッチ、１２９はスイッチである。
【００２０】
次に動作について説明する。
被写体像は、光学系１００、光学制御系１０１により、所定の明るさ、画角、ピント等が制御された光学信号となり、カメラ信号処理部１０２に入力される。ここで光学信号はＣＣＤにより電気信号に変換され、さらにデジタル化されて、適切なゲイン調整、色分離、階調補正、ホワイトバランス調整等の信号処理が施される。
【００２１】
このようにして得られた画像信号は、一旦メモリ１０３に蓄えられ、画面の並べ替えを行う。本実施の形態では、画像データの各フレームをその符号化モードに応じてＩピクチャ、Ｐピクチャ、Ｂピクチャの３つの種類に分け、これらの各ピクチャを、先頭にＩピクチャ、３フレームおきにＰピクチャ、Ｐピクチャの間にＢピクチャを２フレーム配置して、計１５フレームからなるＧＯＰを形成する。そして、メモリ１０３から各ピクチャのデータの出力順を制御することにより、並べ替えを行う。
【００２２】
この並べ替えの様子を図３で説明する。
図３（ａ）のメモリ１０３への入力画像が、
Ｂｚｎ−1 ，Ｂｚｎ，Ｉａ0 ，Ｂａ0 ，Ｂａ1 ，Ｐａ0 ，Ｂａ2 ，Ｂａ3 ，Ｐａ1 …
であったとすると、図３（ｂ）のメモリ１０３の出力画像は、
Ｉａ0 ，Ｂｚｎ−1 ，Ｂｚｎ，Ｐａ0 ，Ｂａ0 ，Ｂａ1 ，Ｐａ1 ，Ｂａ2 ，Ｂａ3 ，Ｐａ2 …
のようになる。
【００２３】
図１において、スイッチ１０６は、画像データがＩピクチャの時はａ側が選択され、画像データがＰピクチャ又はＢピクチャの時はｂ側が選択される。従って、ブロック化されたＩピクチャが入力された場合は、スイッチ１０６はａ側に選択されてＤＣＴ部１０４に接続される。ＤＣＴ部１０４は、入力画像データを複数画素からなるブロック単位にＤＣＴして周波数軸上のデータに変換し、次段の量子化部１０５に伝送する。
【００２４】
量子化部１０５では、所定の記録レートとなるように周波数軸データを量子化して、符号化部１０８及び逆量子化装置１２０に供給する。符号化部１０８は、ハフマン符号化、ランレングス符号化による可変長符号化処理を行い、多重化部１０９に伝送する。
【００２５】
一方、逆量子化部１２０では、入力された量子化データを逆量子化し、逆ＤＣＴ部１２１により逆ＤＣＴ処理を行う。逆ＤＣＴ部１２０の出力信号は、加算器１２２に供給され、Ｉピクチャ信号の場合は、スイッチ１２９はｂ側を選択してＺｅｒｏデータ供与部１２３から０データを得る。この場合、加算器１２２からは、何も加算しないのと同じ値、即ち、入力画像データと同じ値が加算結果として出力される。この加算結果は、メモリ１２４に保持される。
【００２６】
次に、Ｐピクチャの符号化について説明する。
メモリ１０３よりＰピクチャの画像データが入力された場合は、動き補償予測部１２５は、メモリ１２４からＩピクチャのデータを読み出し、減算器１０７に供給する。減算器１０７は、このメモリ１２４からのデータとメモリ１０３の入力Ｐピクチャのデータを減算し、スイッチ１０６のｂ側に供給する。Ｐピクチャの符号化時にはスイッチ１０６はｂ側に接続されており、上記減算出力はフレーム間差分信号としてＤＣＴ部１０４に供給され、以降、順次符号化処理を経ることになる。
【００２７】
この時、スイッチ１２９はａ側が選択され、そして、メモリ１２４からのＩピクチャ・データから、動き補償予測部１２５が予測データを出力し、スイッチ１２９のａ側に供給する。Ｐピクチャの符号化時には、スイッチ１２９はａ側が選択されている。従って、加算器１２２は、このスイッチ１２９のａ側の予測データと逆量子化部１２１の出力とを加算して、メモリ１２４に書き込む処理を行う。
【００２８】
次に、Ｂピクチャの符号化について説明する。
Ｂピクチャの符号化の際は、スイッチ１０６、１２９は共にＰピクチャの符号化と同じａ側を選択する。ここで特徴的なのは、動き補償予測部１２５が、メモリ１２９に記憶されているデータから、Ｉピクチャ、Ｐピクチャの双方から動き予測を行うことができることである。また、動き検出部１２６は、動き補償予測部１２５から得られる動きベクトルの絶対値の総和を求め、画像の動き情報としてＣＰＵ１２７に伝送する。
【００２９】
撮影開始トリガスイッチ１２８は、撮影シーンの始め又は終わりの制御タイミングをＣＰＵ１２７に送り、システムのモード遷移を行う。また、ＣＰＵ１２７は、上記の変化点、又は動き検出部１２６からの動き情報を多重化部１０９に伝送する。多重化部１０９では、符号化部１０８からのデータに対して、シーン切り替え（シーンチェンジ）情報、又は動き情報を多重して、次のＥＣＣ部１１０ヘデータ伝送する。ＥＣＣ部１１０では、所定のパリティを付加して変調部１１１に送り、変調部１１１は、ディスク１１３に記録するための変調データをヘッド１１２に供給する。
【００３０】
尚、上記の説明では、動き情報を動き補償予測部１２５の予測結果に基づいて求めたが、動き情報はカメラの手振れ補正処理の結果から求めるようにしてもよい。
【００３１】
次に、図２の再生部について説明する。
図２において、１１２は図１のヘッド、１１３は図１のディスクである。２０１は再生プリアンプ、２０２は復調部、２０３はＥＣＣ部、２０４はデコーダ部、２０５はメモリ、２０６は動き検出部、２０７は操作部、２０８はＣＰＵ、２０９はバッファ制御部、２１０はバッファ、２１１はディスク駆動部である。
【００３２】
次に動作について説明する。
ディスク１１３に記録されている画像データはヘッド１１２により再生され、プリアンプ２０１で所定のレベルに増幅される。復調部２０２では、データの検出、復調が施され、再生復調データが得られる。そして、ＥＣＣ部２０３で再生画像データにエラー訂正処理を施した後、メモリ２０５に書き込まれる。デコーダ部２０４は、メモリ２０５に記憶された圧縮画像データに対して記録時の符号化に応じて所定の復号処理を施す。このとき、動き検出部２０６により、デコード出力から記録時に多重化された「動き情報」を検出し、この動き情報をＣＰＵ２０８に供給する。また、デコード部２０４で復号された画像データは、バッファ２１０を介して出力される。
【００３３】
メモリ２０５は数ＧＯＰ（本実施の形態では１０ＧＯＰ）分の圧縮画像データを記憶可能であり、また、バッファ２１０は数フレーム（本実施の形態では２０フレーム）分の復号された画像データを記憶可能である。バッファ制御回路２０９は、ＣＰＵ２０８からの制御信号に基づいてバッファ２１０に対する画像データの書き込み、読み出しを制御するものである。
【００３４】
まず、通常再生時の動作について説明する。
操作部２０７から通常再生モードの指示があると、ＣＰＵ２０８はディスク駆動部２１１を制御してディスク１１３を記録時に応じた速度で回転させる。そして、ピックアップ１１２によりディスク１１３から再生された画像データがプリアンプ２０１、復調部２０２、ＥＣＣ２０３を介してメモリ２０５に書き込まれる。
【００３５】
ＣＰＵ２０８は通常再生時には、メモリ２０５に書き込まれた画像データを再生された順に読み出して復号するようにデコード部２０４を制御し、デコード部２０４で復号された画像データがバッファ２１０に書き込まれる。
【００３６】
また、ＣＰＵ２０８は通常再生モード時には、バッファ制御部２０９を制御して、デコード部２０４から出力される画像データを入力された順番で全て読み出して出力するように制御する。
【００３７】
次に、サーチ再生モード時の動作について説明する。
操作部２０７からサーチ再生モードの指示があると、ＣＰＵ２０８はディスク駆動部２１１を制御してディスク１１３を通常再生モード時の１０倍以上の速度で回転させ、通常再生モード時の１０倍以上の速度でデータを再生可能とする。ピックアップ１１２によりディスク１１３から再生された画像データは、前述のようにしてプリアンプ２０１、復調部２０２、ＥＣＣ２０３、デコード部２０４を介してメモリ２０５に書き込まれる。
【００３８】
ＣＰＵ２０８はサーチ再生モード時においては、動き検出部２０６より得られる各フレームの動き情報に従って、メモリ２０５からの符号化画像データの読み出し及びバッファ２１０への画像データの書き込み、読み出しを制御する。
【００３９】
即ち、ＣＰＵ２０８は、メモリ２０５に書き込まれた１０ＧＯＰ（１５０フレーム）分の画像データに基づいて、メモリ２０５に記憶された１０ＧＯＰ分の画像データ中から動きの大きなフレームの画像データのみをバッファ２１０に書き込むようにデコード部２０４及びバッファ制御部２０９を制御する。
【００４０】
例えば、今、サーチ再生モード時に１０倍速再生を行う場には、メモリ２０５に記憶された１０ＧＯＰ（１５０フレーム）分の画像データのうち、その１／１０である１５フレームの画像データをその動きに応じて選択、抽出してバッファ２１０に書き込むようにバッファ制御部２０９を制御する。
【００４１】
この動作を図４を用いて説明する。
図４（ａ）はメモリ２０５に記憶された画像データを示し、（ｂ）は（ａ）の各画像データの動き情報の様子を示し、（ｃ）は表示される映像を示している。ＣＰＵ２０８は、これらの数ＧＯＰの画像データ中、最も動きの大きいフレームを中心に１５フレーム分の画像データを記憶するようにバッファ制御部２０９を制御する。図４（ｂ）では、点線の範囲のフレームの画像データがバッファ２１０に書き込まれる。
【００４２】
そして、ＣＰＵ２０８は、バッファ２１０に書き込まれた各フレームの画像データを通常の時間軸（３０フレーム／秒）に応じたタイミングで読み出すようにバッファ制御部２０９を制御する。
【００４３】
このように本実施の形態では、サーチ再生時において、ディスクに記録されている全ての画像データを高速で読み出し、高速に読み出された全ての再生画像データから動きに応じて画像データを選択しているため、再生画像の動きに応じた快適なサーチ再生を提供することができる。
【００４４】
尚、本実施の形態では、メモリ２０５及びバッファ２１０の容量をそれぞれ１０ＧＯＰ、２０フレームとしたが、これらはサーチ再生速度によって適宜変更することができる。
【００４５】
（第２の実施の形態）
図５は本発明の第２の実施の形態によるカメラ一体型レコーダシステムの再生部を示すブロック図であり、図２と対応する部分には同一番号を付して重複する説明は省略する。尚、記録部の構成は図１と同一である。
図５において、２１２は動き分散判定部である。
【００４６】
次に動作について説明する。
図２の場合と同様に、ディスク１１３に記録されている画像データは、ヘッド１１２で再生され、増幅、データ検出、復調、エラー訂正された後、デコーダ部２０４でメモリ２０５を用いて圧縮データの所定の復号化処理が施される。動き分散判定部２１１は、デコード出力から検出された動き情報に基づき時間軸方向の分散を判定する。
【００４７】
次に、サーチ再生モード時の動作について説明する。
操作部２０７からサーチ再生モードの指示があると、ＣＰＵ２０８はディスク駆動部２１１を制御してディスク１１３を通常再生モード時の１０倍以上の速度で回転させ、通常再生モード時の１０倍以上の速度でデータを再生可能とする。ピックアップ１１２によりディスク１１３から再生された画像データは、前述のようにしてプリアンプ２０１、復調部２０２、ＥＣＣ２０３、デコード部２０４を介してメモリ２０５に書き込まれる。
【００４８】
ＣＰＵ２０８はサーチ再生モード時においては、動き分散判定部２１２より得られる動き分散情報に従って、メモリ２０５からの符号化画像データの読み出し及びバッファ２１０への画像データの書き込み、読み出しを制御する。
【００４９】
この動作を図６を用いて説明する。
図６は再生画像データの様子を示し、（ｂ）は各フレームの動き情報の様子を示し、（ｃ）は表示される映像を示している。
動き分散判定部２１１では、１０ＧＯＰ単位に、この１０ＧＯＰの画像データの中で動き情報の値の大きさが所定値Ａを越える期間σを検出してＣＰＵ２０８に出力する。ＣＰＵ２０８はこのσの１０ＧＯＰ中の位置及びその期間と、サーチ再生速度とに応じてメモリ２０５に書き込むフレームを選択する。
【００５０】
即ち、図６では、σが２つ目のＧＯＰの３フレーム目〜４つ目のＧＯＰの７フレーム目にわたっていたとすると、この期間で均等の間隔で１５フレーム分の画像データを選択してバッファ２１０に書き込むように、ＣＰＵ２０８はバッファ制御部２０９を制御する。
【００５１】
従って、動きの分散σの期間が長い場合には、メモリ２０５に書き込まれる画像データのフレーム期間が長くなり、σの期間が短い場合には、メモリ２０５に書き込まれる画像データのフレーム期間が短くなる。
【００５２】
尚、メモリ２０５に記憶された１０ＧＯＰの画像データのうち、その動き情報の値が所定値Ａを越えるフレーム数が１５フレーム以下であった場合には、第１の実施の形態と同様に、最も動きの大きいフレームを中心に前後７フレームづつ１５フレームの画像データをバッファ２１０に書き込むようにする。
【００５３】
このように本実施の形態では、動き情報に基づいて動きの分散を検出し、この動きの分散に応じて再生画像データを選択して出力するため、再生画像の動きに応じて快適なサーチを行うことができる。
【００５４】
（第３の実施の形態）
図７は本発明の第３の実施形態によるカメラ一体型レコーダシステムの再生部を示すブロック図であり、図２、図５と対応する部分には同一番号を付して重複する説明は省略する。尚、記録部の構成は図１と同一である。
図７において、２１３はシーン検出部である。
【００５５】
次に動作について説明する。
図２の場合と同様に、ディスク１１３に記録されている画像データは、ヘッド１１２で再生され、増幅、データ検出、復調、エラー訂正された後、デコーダ部２０４でメモリ２０５を用いて圧縮データの所定の復号処理が施される。シーン検出部２１３は、デコード出力に多重化された「撮影開始」又は「撮影停止」といったシーンの切り替えを示す情報を抽出するものである。
【００５６】
次に、サーチ再生モード時の動作について説明する。
操作部２０７からサーチ再生モードの指示があると、ＣＰＵ２０８はディスク駆動部２１１を制御してディスク１１３を通常再生モード時の１０倍以上の速度で回転させ、通常再生モード時の１０倍以上の速度でデータを再生可能とする。ピックアップ１１２によりディスク１１３から再生された画像データは、前述のようにしてプリアンプ２０１、復調部２０２、ＥＣＣ２０３、デコード部２０４を介してメモリ２０５に書き込まれる。
【００５７】
ＣＰＵ２０８はサーチ再生モード時においては、シーン検出部２１３より得られるシーンチェンジ情報に従ってメモリ２０５からの符号化画像データの読み出し及びバッファ２１０への画像データの書き込み、読み出しを制御する。
【００５８】
即ち、ＣＰＵ２０８は、シーンチェンジ情報に従ってメモリ２０５に書き込まれた画像データ中にシーンチェンジ部分の画像データがあるかを検出し、シーンチェンジがあった場合には、そのフレームを先頭に１５フレーム分の画像データをバッファ２１０に書き込むようにバッファ制御部２０９を制御する。
【００５９】
またシーンチェンジがない場合には、メモリ２０５に書き込まれた１０ＧＯＰ分画像データの先頭の１ＧＯＰの画像データをバッファ２１０に書き込むようにバッファ制御部２０９を制御する。
【００６０】
このように本実施の形態では、再生された画像データ中のシーンチェンジ情報に従って画像データ選択して出力するため、再生画像のシーンの変化に応じたサーチ再生を実現することができる。
【００６１】
尚、上述した各実施の形態においては、サーチ再生モード時には通常再生時よりも高速でディスクを回転させて再生したが、これ以外にも、例えば、通常再生時にはｎ回転に１回ディスクからデータを読み出すようにし、サーチ再生時には、通常再生時のディスクの回転速度を変えずに、ｎ回全てデータを読み出すようにしてもよい。
【００６２】
次に本発明の他の実施の形態としての記憶媒体について説明する。
図１、図２、図５、図７に示すシステムは、ハードウェアで構成することもできるが、ＣＰＵとメモリを含むコンピュータシステムで構成することができる。コンピュータシステムで構成する場合は、上記メモリは本発明による記憶媒体を構成する。この記憶媒体には、上記各実施の形態において説明した動作を制御する処理手順を実行するためのプログラムが記憶される。
【００６３】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気テープ、磁気カード、不揮発性メモリカード等に構成して用いてよい。
【００６４】
従って、この記憶媒体を図１、図２、図５、図７に示したシステムや装置以外の他のシステムや装置で用い、そのシステムあるいはコンピュータがこの記憶媒体に格納されたプログラムコードを読み出し、実行することによっても、上記各実施の形態と同等の機能を実現できると共に、同等の効果を得ることができ、本発明の目的を達成することができる。
【００６５】
また、コンピュータ上で稼働しているＯＳ等が処理の一部又は全部を行う場合、あるいは、記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができ、本発明の目的を達成することができる。
【００６６】
【発明の効果】
以上説明したように、本発明によれば、動画像の動きの大きさを示す動きデータに基づいて再生動画像データの一部を抽出して出力するため、サーチ再生等の特殊再生時においても動きのあるシーンを抽出して出力することができ、記録されている動画像データの内容を容易に確認することができる。
【図面の簡単な説明】
【図１】本発明の第１の実施の形態による記録再生装置の記録部を示すブロック図である。
【図２】本発明の第１の実施の形態による記録再生装置の再生部を示すブロック図である。
【図３】画像の並べ替えを説明するための構成図である。
【図４】第１の実施の形態によるサーチ画像の表示を説明するための構成図である。
【図５】本発明の第２の実施の形態による記録再生装置の再生部を示すブロック図である。
【図６】第２の実施の形態によるサーチ画像の表示を説明するための構成図である。
【図７】本発明の第３の実施の形態による記録再生装置の再生部を示すブロック図である。
【図８】従来のサーチ画像の表示を説明するための構成図である。
【符号の説明】
１０２  カメラ信号処理部
１０３  メモリ
１０４  ＤＣＴ部
１０５  量子化部
１０６  スイッチ
１０８  符号化部
１０９  多重化部
１１２  ヘッド
１１３  媒体
１２５  動き補償予測部
１２６  動き検出部
１２７  ＣＰＵ
１２８  撮像開始トリガスイッチ
２０２  復調部
２０４  デコーダ部
２０５  メモリ
２０６  動き検出部
２０７  サーチ命令
２０８  ＣＰＵ
２０９  バッファ制御部
２１０  バッファ
２１１  ディスク駆動部
２１２  動き分散判定部
２１３  シーン検出部
【図１】
0003809301.tif 000002
【図２】
0003809301.tif 000003
【図３】
0003809301.tif 000004
【図４】
0003809301.tif 000005
【図５】
0003809301.tif 000006
【図６】
0003809301.tif 000007
【図７】
0003809301.tif 000008
【図８】
0003809301.tif 000009